【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、を表示画面上に同時に表示する表示部を備え、
前記表示部は、前記第２アプリケーションの実行時において、前記アプリケーションを選択するためのメニュー項目と、前記選択されたアプリケーションで用いられるメニュー項目と、を自船の周囲の海図上に表示するとともに、前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通しており、
前記アプリケーションを選択するためのメニュー項目は、どのアプリケーションからの前記情報画像が現在表示されているかを表示するアプリケーション表示部であり、
前記表示部は、前記アプリケーション表示部が前記操作部を介して操作されると、前記表示画面上に前記アプリケーション表示部を元の位置に表示したまま、アプリケーションの一覧を表示することを特徴とする船舶用情報表示装置。
【請求項２】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、を表示画面上に同時に表示する表示部を備え、
前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通しており、
前記アプリケーションを選択するためのメニュー項目は、どのアプリケーションからの前記情報画像が現在表示されているかを表示するアプリケーション表示部であり、
前記表示部は、前記アプリケーション表示部が前記操作部を介して操作されると、前記表示画面上に前記アプリケーション表示部を元の位置に表示したまま、アプリケーションの一覧を表示することを特徴とする船舶用情報表示装置。
【請求項３】
請求項１又は２に記載の船舶用情報表示装置であって、
前記第２アプリケーションの実行時においては、前記アプリケーションの一覧は、前記表示画面に表示される前記海図上において当該海図の端に表示されることを特徴とする船舶用情報表示装置。
【請求項４】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、を表示画面上に同時に表示する表示部を備え、
前記表示部は、前記第２アプリケーションの実行時において、前記アプリケーションを選択するためのメニュー項目と、前記選択されたアプリケーションで用いられるメニュー項目と、を自船の周囲の海図上に表示するとともに、前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通しており、
前記アプリケーションを選択するためのメニュー項目は、どのアプリケーションからの前記情報画像が現在表示されているかを表示するアプリケーション表示部であり、
前記表示部は、前記アプリケーション表示部が前記操作部を介して操作されると、アプリケーションの一覧を表示し、前記第２アプリケーションの実行時においては、前記アプリケーションの一覧は、前記表示画面に表示される前記海図上において当該海図の端に表示されることを特徴とする船舶用情報表示装置。
【請求項５】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、を表示画面上に同時に表示する表示部を備え、
前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通しており、
前記アプリケーションを選択するためのメニュー項目は、どのアプリケーションからの前記情報画像が現在表示されているかを表示するアプリケーション表示部であり、
前記表示部は、前記アプリケーション表示部が前記操作部を介して操作されると、アプリケーションの一覧を表示し、前記第２アプリケーションの実行時においては、前記アプリケーションの一覧は、前記表示画面に表示される前記海図の端に表示されることを特徴とする船舶用情報表示装置。
【請求項６】
請求項１から５までの何れか一項に記載の船舶用情報表示装置であって、
前記表示部は、前記アプリケーション表示部が前記操作部を介して操作されたとき、前記第１アプリケーションと前記第２アプリケーションとの間で略共通する位置に、前記アプリケーションの一覧を表示することを特徴とする船舶用情報表示装置。
【請求項７】
請求項１から６までの何れか一項に記載の船舶用情報表示装置であって、
前記アプリケーションの一覧は、前記表示画面の端に表示されることを特徴とする船舶用情報表示装置。
【請求項８】
請求項１から７までの何れか一項に記載の船舶用情報表示装置であって、
前記操作部は、少なくともトラックボール又はマウスを含むことを特徴とする船舶用情報表示装置。
【請求項９】
請求項１から８までの何れか一項に記載の船舶用情報表示装置であって、
前記アプリケーションの選択方法、及び、前記選択されたアプリケーションで用いられるメニュー項目の選択方法が実行するアプリケーション間で略共通していることを特徴とする船舶用情報表示装置。
【請求項１０】
請求項１から９までの何れか一項に記載の船舶用情報表示装置であって、
前記表示部は、前記情報画像、前記アプリケーションを選択するためのメニュー項目、及び前記選択されたアプリケーションで用いられるメニュー項目とともに、自船の速度、位置、及び船首方位の少なくとも何れか一つの情報を含む航海データを前記表示画面上に同時に表示し、
前記表示画面上での前記航海データの表示位置が、前記第１アプリケーションと前記第２アプリケーションとの間で略共通することを特徴とする船舶用情報表示装置。
【請求項１１】
請求項１０に記載の船舶用情報表示装置であって、
前記航海データは、アプリケーションによらず表示される航海データと、選択されたアプリケーションに応じた航海データと、からなり、
前記第１アプリケーションと前記第２アプリケーションとの間で、前記アプリケーションによらず表示される航海データ及び前記選択されたアプリケーションに応じた航海データの前記表示画面上での表示位置が略共通であることを特徴とする船舶用情報表示装置。
【請求項１２】
請求項１１に記載の船舶用情報表示装置であって、
アプリケーションが選択されて切り替わった場合、前記選択されたアプリケーションに応じた航海データが、当該選択されたアプリケーションに応じて変化することを特徴とする船舶用情報表示装置。
【請求項１３】
請求項１から１２までの何れか一項に記載の船舶用情報表示装置であって、
前記アプリケーション表示部には、アプリケーションの切り替えが可能であることを示すマークが表示されることを特徴とする船舶用情報表示装置。
【請求項１４】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第２アプリケーションの実行時において、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、前記表示画面上に前記アプリケーション表示部を元の位置に表示したまま、アプリケーションの一覧が表示されることを特徴とする船舶用情報表示プログラム。
【請求項１５】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、が表示画面上に同時に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、前記表示画面上に前記アプリケーション表示部を元の位置に表示したまま、アプリケーションの一覧が表示されることを特徴とする船舶用情報表示プログラム。
【請求項１６】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第２アプリケーションの実行時において、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、アプリケーションの一覧が表示され、前記第２アプリケーションの実行時においては、前記アプリケーションの一覧は、前記表示画面に表示される前記海図上において当該海図の端に表示されることを特徴とする船舶用情報表示プログラム。
【請求項１７】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、が表示画面上に同時に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、アプリケーションの一覧が表示され、前記第２アプリケーションの実行時においては、前記アプリケーションの一覧は、前記表示画面に表示される前記海図の端に表示されることを特徴とする船舶用情報表示プログラム。
【請求項１８】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第２アプリケーションの実行時において、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、前記表示画面上に前記アプリケーション表示部を元の位置に表示したまま、アプリケーションの一覧が表示されることを特徴とする船舶用情報表示方法。
【請求項１９】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、が表示画面上に同時に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、前記表示画面上に前記アプリケーション表示部を元の位置に表示したまま、アプリケーションの一覧が表示されることを特徴とする船舶用情報表示方法。
【請求項２０】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第２アプリケーションの実行時において、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、アプリケーションの一覧が表示され、前記第２アプリケーションの実行時においては、前記アプリケーションの一覧は、前記表示画面に表示される前記海図上において当該海図の端に表示されることを特徴とする船舶用情報表示方法。
【請求項２１】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、が表示画面上に同時に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通しており、
前記アプリケーションを選択するためのメニュー項目は、どのアプリケーションからの前記情報画像が現在表示されているかを表示するアプリケーション表示部であり、
前記アプリケーション表示部が操作部を介して操作されると、アプリケーションの一覧が表示され、前記第２アプリケーションの実行時においては、前記アプリケーションの一覧は、前記表示画面に表示される前記海図の端に表示されることを特徴とする船舶用情報表示方法。
【手続補正２】
【補正対象書類名】明細書
【補正対象項目名】００１０
【補正方法】変更
【補正の内容】
【００１０】
本発明の第１の観点によれば、自船の周囲の状況を表示する船舶用情報表示装置において、以下の構成が提供される。即ち、船舶用情報表示装置は、制御部と、操作部と、表示部と、を備える。制御部は、レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能である。操作部は、前記制御部に対して指示を行う操作が可能である。前記表示部は、選択中のアプリケーションの実行により作成される前記情報画像とともに、アプリケーションを選択するためのメニュー項目と、選択されたアプリケーションで用いられるメニュー項目と、を表示画面上に同時に表示する。前記表示部は、前記第２アプリケーションの実行時において、前記アプリケーションを選択するためのメニュー項目と、前記選択されたアプリケーションで用いられるメニュー項目と、を自船の周囲の海図上に表示するとともに、前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通している。前記アプリケーションを選択するためのメニュー項目は、どのアプリケーションからの前記情報画像が現在表示されているかを表示するアプリケーション表示部である。前記表示部は、前記アプリケーション表示部が前記操作部を介して操作されると、前記表示画面上に前記アプリケーション表示部を元の位置に表示したまま、アプリケーションの一覧を表示する
【手続補正３】
【補正対象書類名】明細書
【補正対象項目名】００１５
【補正方法】変更
【補正の内容】
【００１５】
本発明の第２の観点によれば、自船の周囲の状況を表示する船舶用情報表示プログラムにおいて、以下のステップをコンピュータに実行させるプログラムが提供される。即ち、レーダアンテナからの信号に基づいて自船の周囲の物標を情報画像として表示するアプリケーションである第１アプリケーションを実行するステップと、ＧＰＳ受信機からの位置情報に基づいて自船の周囲の海図を情報画像として表示するアプリケーションである第２アプリケーションとを実行するステップと、をコンピュータに実行させる。前記第１アプリケーション及び前記第２アプリケーションを実行するステップでは、選択中のアプリケーションの実行により作成される前記情報画像とともに、アプリケーションを選択するためのメニュー項目と、選択されたアプリケーションで用いられるメニュー項目と、が表示画面上に同時に表示される。前記第２アプリケーションの実行時において、前記アプリケーションを選択するためのメニュー項目と、前記選択されたアプリケーションで用いられるメニュー項目と、が自船の周囲の海図上に表示される。前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通している。前記アプリケーションを選択するためのメニュー項目は、どのアプリケーションからの前記情報画像が現在表示されているかを表示するアプリケーション表示部である。前記アプリケーション表示部が操作部を介して操作されると、前記表示画面上に前記アプリケーション表示部を元の位置に表示したまま、アプリケーションの一覧が表示される。
【手続補正４】
【補正対象書類名】明細書
【補正対象項目名】００１７
【補正方法】変更
【補正の内容】
【００１７】
本発明の第３の観点によれば、自船の周囲の状況を表示する船舶用情報表示方法において、以下の方法が提供される。即ち、この方法は、レーダアンテナからの信号に基づいて自船の周囲の物標を情報画像として表示するアプリケーションである第１アプリケーションを実行する工程と、ＧＰＳ受信機からの位置情報に基づいて自船の周囲の海図を情報画像として表示するアプリケーションである第２アプリケーションとを実行する工程と、を含む。前記第１アプリケーション及び前記第２アプリケーションを実行する工程では、選択中のアプリケーションの実行により作成される前記情報画像とともに、アプリケーションを選択するためのメニュー項目と、選択されたアプリケーションで用いられるメニュー項目と、が表示画面上に同時に表示される。前記第２アプリケーションの実行時において、前記アプリケーションを選択するためのメニュー項目と、前記選択されたアプリケーションで用いられるメニュー項目と、が自船の周囲の海図上に表示される。前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通している。前記アプリケーションを選択するためのメニュー項目は、どのアプリケーションからの前記情報画像が現在表示されているかを表示するアプリケーション表示部である。前記アプリケーション表示部が操作部を介して操作されると、前記表示画面上に前記アプリケーション表示部を元の位置に表示したまま、アプリケーションの一覧が表示される。